(57)【要約】【課題】洗面所やトイレ等にて使用される手乾燥装置において、手に付着した水滴を効率よく吸引することにより水滴の飛散を防止することができる手乾燥装置を提供することを目的とする。【解決手段】本体内部に設けた送風手段２と、前記送風手段２に接続した送風路３と、前記送風路３に接続した送出ノズル部４と、前記送出ノズル部４の前方に設けた手挿入部５と、前記手挿入部５の手前側に設けた振動部６を有し、前記手挿入部５に濡れた手が挿入され、手が前記振動部６にのせられた場合に、前記振動部６を動作させ、手に振動を与えて手に付着した水滴を引き剥がすとともに、前記送風手段２を動作させ、前記送出ノズル部４から送出される高圧空気により手から引き剥がされた水滴を吹き飛ばす、効率良く手の表面の水分を除去できる手乾燥装置１が得られる。【選択図】図１
2012050763.tif 000002
【特許請求の範囲】
【請求項１】
本体内部に設けた送風手段と、前記送風手段に接続した送風路と、前記送風路に接続した送出ノズル部と、前記送出ノズル部の前方に設けた手挿入部と、前記手挿入部の手前側に設けた振動部を有したことを特徴とした手乾燥装置。
【請求項２】
振動部の表面に、突起部を複数設けた請求項１に記載の手乾燥装置。
【請求項３】
振動部の表面に、撥水処理を施した請求項１から２に記載の手乾燥装置。
【請求項４】
振動部の表面に、親水処理を施した請求項１から２に記載の手乾燥装置。
【請求項５】
振動部の表面に、抗菌処理を施した請求項１から２に記載の手乾燥装置。
【請求項６】
振動部の近傍にオゾン発生装置を設けたことを特徴とした請求項１から５のいずれかに記載の手乾燥装置。
【請求項７】
振動部の近傍にマイナスイオン発生装置を設けたことを特徴とした請求項１から５のいずれかに記載の手乾燥装置。
【請求項８】
振動部の下部に機械スイッチを設けたことを特徴とした請求項１から７のいずれかに記載の手乾燥装置。
【請求項９】
振動部の下部に重量センサーを設けたことを特徴とした請求項１から７のいずれかに記載の手乾燥装置。
【発明の詳細な説明】
【技術分野】
【０００１】
本発明は、洗面所やトイレ等にて手を洗い、濡れた手を乾燥させる手乾燥装置に関する。
【背景技術】
【０００２】
従来、この種の手乾燥装置では、直線状に並んだ多数の穴から送出される高圧空気流により、手の水滴を飛ばし、乾燥させるものが知られていた。（例えば特許文献１参照）。
【０００３】
以下、その手乾燥装置について図８を参照しながら説明する。
【０００４】
図８に示すように、手乾燥装置１０１は本体内部に設けた電動送風機１０２と、前記電動送風機１０２に接続する送風路１０３と、前記送風路１０３に接続する直線状に並んだ多数の穴を有するノズル１０４と、前記ノズル１０４の下部に乾燥室１０５を有し、前記電動送風機１０２を動作させることにより、ノズル１０４より高圧空気を吹出し、手に付着した水滴を飛ばし、手を乾燥させるものである。
【先行技術文献】
【特許文献】
【０００５】
【特許文献１】特開２００６−２５９３９号公報（段落番号００１８，図３）
【発明の概要】
【発明が解決しようとする課題】
【０００６】
このような従来の手乾燥装置の方法では、高圧空気で手に付着した水滴を引き剥がして飛ばすため、手に付着した全ての水滴を引き剥がして飛ばすためには、高圧空気を手にまんべんなく当てる必要があり、手を乾燥室の中で動かす動作を繰り返さなければならず、効率的でないという課題があった。
【０００７】
本発明は、上記従来の課題を解決するもので、手に振動を与えることにより、手に付着した水滴を引き剥がし、高圧空気で手から引き剥がした水滴を飛ばすことにより、乾燥効率が良い、手乾燥装置を提供することを目的としている。
【課題を解決するための手段】
【０００８】
本発明の手乾燥装置は、上記目的を達成するために、本体内部に設けた送風手段と、前記送風手段に接続した送風路と、前記送風路に接続した送出ノズル部と、前記送出ノズル部前方に設けた手挿入部と、前記手挿入部の手前側に設けた、乾燥させる手をのせる振動部よりなる構成としたものである。
【０００９】
この手段により、前記手挿入部に濡れた手が挿入され、手が前記振動部にのせられた場合に、前記振動部を動作させ、手に振動を与えて手に付着した水滴を引き剥がすとともに、前記送風手段を動作させ、前記送出ノズル部から送出される高圧空気により手から引き剥がされた水滴を吹き飛ばすため、手に付着した全ての水滴を引き剥がして飛ばすために、高圧空気を手にまんべんなく当てる必要がなく、乾燥効率が良い手乾燥装置が得られる。
【００１０】
また、振動部の表面に、突起部を複数設けたものである。
【００１１】
この手段により、前記振動部の手に触れる面積が小さくなり、手に触れる前記振動部の表面を、清潔に保つことができるとともに、前記突起部を手のツボに当てることによりマッサージ効果がある手乾燥装置が得られる。
【００１２】
また、振動部の表面に、撥水処理を施したものである。
【００１３】
この手段により、前記振動部に水分が付着しにくくなり、手が触れる前記振動部の表面を、清潔に保つことができる手乾燥装置が得られる。
【００１４】
また、振動部の表面に、親水処理を施したものである。
【００１５】
この手段により、手の前記振動部に触れた部分に付着した水分を前記振動部が吸着し易くなり、手に付着した水分を効率的に除去することができる手乾燥装置が得られる。
【００１６】
また、振動部の表面に、抗菌処理を施したものである。
【００１７】
この手段により、前記振動部の表面に細菌が繁殖し難くなり、人の手が触れる前記振動部の表面を清潔に保つことができる手乾燥装置が得られる。
【００１８】
また、振動部の近傍にオゾン発生装置を設けたものである。
【００１９】
この手段により、オゾンを発生させることにより細菌が繁殖し難くなり、前記振動部を清潔に保つことができる手乾燥装置が得られる。
【００２０】
また、振動部の近傍にマイナスイオン発生装置を設けたものである。
【００２１】
この手段により、マイナスイオンを発生させることにより細菌が繁殖し難くなり、前記振動部を清潔に保つことができる手乾燥装置が得られる。
【００２２】
また、振動部の下部に機械スイッチを設けたものである。
【００２３】
この手段により、前記手挿入部に濡れた手が挿入され、手が前記振動部にのせられた場合に、前記機械スイッチが押されたことにより前記振動部を動作させ、手に振動を与えて手に付着した水滴を引き剥がすとともに、前記送風手段を動作させ、前記送出ノズル部から送出される高圧空気により手から引き剥がされた水滴を吹き飛ばし、手が前記振動部からおろされた場合に、前記機械スイッチが離されたことにより前記振動部を停止させるとともに、前記送風手段を停止させるという自動運転ができる効率の良い手乾燥装置が得られる。
【００２４】
また、振動部の下部に重量センサーを設けたものである。
【００２５】
この手段により、前記手挿入部に濡れた手が挿入され、手が前記振動部にのせられた場合に、前記重量センサーで荷重が有ることを検知したことにより前記振動部を動作させ、手に振動を与えて手に付着した水滴を引き剥がすとともに、前記送風手段を動作させ、前記送出ノズル部から送出される高圧空気により手から引き剥がされた水滴を吹き飛ばし、手が前記振動部からおろされた場合に、前記重量センサーで荷重が無くなったことを検知したことにより前記振動部を停止させるとともに、前記送風手段を停止させるという自動運転ができる効率の良い手乾燥装置が得られる。
【発明の効果】
【００２６】
本発明によれば、本体内部に設けた送風手段と、前記送風手段に接続した送風路と、前記送風路に接続した送出ノズル部と、前記送出ノズル部前方に設けた手挿入部と、前記手挿入部の手前側に設けた、乾燥させる手をのせる振動部を有し、前記手挿入部に濡れた手が挿入され、手が前記振動部にのせられた場合に、前記振動部を動作させ、手に振動を与えて手に付着した水滴を引き剥がすとともに、前記送風手段を動作させ、前記送出ノズル部から送出される高圧空気により手から引き剥がされた水滴を吹き飛ばす、効率良く手の表面の水分を除去できる手乾燥装置を提供できる。
【図面の簡単な説明】
【００２７】
【図１】本発明の実施の形態１の手乾燥装置の構成を示す概略図
【図２】本発明の実施の形態２の手乾燥装置の構成を示す概略図
【図３】本発明の実施の形態３、４、５の手乾燥装置の構成を示す概略図
【図４】本発明の実施の形態６の手乾燥装置の構成を示す概略図
【図５】本発明の実施の形態７の手乾燥装置の構成を示す概略図
【図６】本発明の実施の形態８の手乾燥装置の構成を示す概略図
【図７】本発明の実施の形態９の手乾燥装置の構成を示す概略図
【図８】従来の手乾燥装置の構成を示す概略図
【発明を実施するための形態】
【００２８】
本発明の請求項１記載の発明は、本体内部に設けた送風手段と、前記送風手段に接続した送風路と、前記送風路に接続した送出ノズル部と、前記送出ノズル部前方に設けた手挿入部と、前記手挿入部の手前側に設けた、乾燥させる手をのせる振動部を有し、前記手挿入部に濡れた手が挿入され、手が前記振動部にのせられた場合に、前記振動部を動作させ、手に振動を与えて手に付着した水滴を引き剥がすとともに、前記送風手段を動作させ、前記送出ノズル部から送出される高圧空気により手から引き剥がされた水滴を吹き飛ばす、効率良く手の表面の水分を除去できる作用を有する。
【００２９】
また、振動部の表面に、突起部を複数設けたものであり、前記振動部の手に触れる面積が小さくなり、手に触れる前記振動部の表面を、清潔に保つことができるとともに、前記突起部を手のツボに当てることによりマッサージ効果があるという作用を有する。
【００３０】
また、振動部の表面に、撥水処理を施したものであり、前記振動部に水分が付着しにくくなり、手が触れる前記振動部の表面を、清潔に保つことができる作用を有する。
【００３１】
また、振動部の表面に、親水処理を施したものであり、手が前記振動部に触れた部分に付着した水分を前記振動部が吸着し易くなり、手に付着した水分を効率的に除去することができる作用を有する。
【００３２】
また、振動部の表面に、抗菌処理を施したものであり、前記振動部の表面に細菌が繁殖し難くなり、人の手が触れる前記振動部の表面を清潔に保つことができる作用を有する。
【００３３】
また、振動部の近傍にオゾン発生装置を設けたものであり、オゾンを発生させることにより細菌が繁殖し難くなり、前記振動部を清潔に保つことができる作用を有する。
【００３４】
また、振動部の近傍にマイナスイオン発生装置を設けたものであり、マイナスイオンを発生させることにより細菌が繁殖し難くなり、前記振動部を清潔に保つことができる作用を有する。
【００３５】
また、振動部の下部に機械スイッチを設けたものであり、前記手挿入部に濡れた手が挿入され、手が前記振動部にのせられた場合に、前記機械スイッチが押されたことにより前記振動部を動作させ、手に振動を与えて手に付着した水滴を引き剥がすとともに、前記送風手段を動作させ、前記送出ノズル部から送出される高圧空気により手から引き剥がされた水滴を吹き飛ばし、手が前記振動部からおろされた場合に、前記機械スイッチが離されたことにより前記振動部を停止させるとともに、前記送風手段を停止させるという自動運転ができる作用を有する。
【００３６】
また、振動部の下部に重量センサーを設けたものであり、前記手挿入部に濡れた手が挿入され、手が前記振動部にのせられた場合に、前記重量センサーで荷重が有ることを検知したことにより前記振動部を動作させ、手に振動を与えて手に付着した水滴を引き剥がすとともに、前記送風手段を動作させ、前記送出ノズル部から送出される高圧空気により手から引き剥がされた水滴を吹き飛ばし、手が前記振動部からおろされた場合に、前記重量センサーで荷重が無くなったことを検知したことにより前記振動部を停止させるとともに、前記送風手段を停止させるという自動運転ができる作用を有する。
【００３７】
以下、本発明の実施の形態について図面を参照しながら説明する。
【００３８】
（実施の形態１）
図１に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、たとえば振動モータを内臓した、振動部６により構成される。
【００３９】
上記構成において、前記手挿入部５に濡れた手が挿入され、手が前記振動部６にのせられた場合に、前記振動部６を動作させ、手に振動を与えて手に付着した水滴を引き剥がすとともに、前記送風手段２を動作させ、前記送出ノズル部４から送出される高圧空気により手から引き剥がされた水滴を吹き飛ばし、効率良く手の表面の水分を除去できる。
【００４０】
なお、本実施の形態１では、送出ノズル部が１個の手乾燥装置としているが、送出ノズル部を複数設け、手の両面より送風する手乾燥装置においても同様の作用効果をもたらすことは言うまでもない。
【００４１】
（実施の形態２）
次に、本発明の実施の形態２について図面を参照しながら説明する。なお，実施の形態１と同一のものは同一番号を付し、その詳細な説明を省略する。
【００４２】
図２に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、たとえば振動モータを内臓した、振動部６と、前記振動部６の表面に設けられた複数の突起部７より構成される。
【００４３】
上記構成において、前記突起部７は突起しているため、手に触れる面積が小さくなり、前記振動部６の表面を、清潔に保つことができるとともに、前記突起部７を手のツボに当てることによりマッサージ効果を得ることができる。
【００４４】
（実施の形態３）
次に、本発明の実施の形態３について図面を参照しながら説明する。なお，実施の形態１、２と同一のものは同一番号を付し、その詳細な説明を省略する。
【００４５】
図３に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、表面を撥水処理、たとえばフッ素コーティングされ、たとえば振動モータを内臓した、振動部６により構成される。
【００４６】
上記構成において、撥水処理により、前記振動部６に水分が付着しにくくなり、手が触れる前記振動部６の表面を、清潔に保つことができる。
【００４７】
（実施の形態４）
次に、本発明の実施の形態４について図面を参照しながら説明する。なお、実施の形態１、２、３と同一のものは同一番号を付し、その詳細な説明を省略する。
【００４８】
図３に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、表面を親水処理、たとえば光触媒処理され、たとえば振動モータを内臓した、振動部６により構成される。
【００４９】
上記構成において、親水処理により、手が前記振動部６に触れた部分に付着した水分を前記振動部６が吸着し易くなり、手に付着した水分を効率的に除去することができる。
【００５０】
（実施の形態５）
次に、本発明の実施の形態５について図面を参照しながら説明する。なお、実施の形態１、２、３、４と同一のものは同一番号を付し、その詳細な説明を省略する。
【００５１】
図３に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、表面を抗菌処理、たとえば銀イオン処理され、たとえば振動モータを内臓した、振動部６により構成される。
【００５２】
上記構成において、抗菌処理により、前記振動部６の表面に細菌が繁殖し難くなり、手が触れる前記振動部６の表面を、清潔に保つことができる。
【００５３】
（実施の形態６）
次に、本発明の実施の形態６について図面を参照しながら説明する。なお、実施の形態１、２、３、４、５と同一のものは同一番号を付し、その詳細な説明を省略する。
【００５４】
図４に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、たとえば振動モータを内臓した、振動部６と、前記振動部６の近傍に設けられたオゾン発生装置８により構成される。
【００５５】
上記構成において、前記オゾン発生装置８を動作させることにより発生したオゾンが、前記振動部６での雑菌の繁殖を抑制し、前記振動部６を清潔に保つことができる。
【００５６】
（実施の形態７）
次に、発明の実施の形態７について図面を参照しながら説明する。なお、実施の形態１、２、３、４、５、６と同一のものは同一番号を付し、その詳細な説明を省略する。
【００５７】
図５に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、たとえば振動モータを内臓した、振動部６と、前記振動部６の近傍に設けられたマイナスイオン発生装置９により構成される。
【００５８】
上記構成において、マイナスイオン発生装置９を動作させることにより発生したマイナスイオンが、前記振動部６での雑菌の繁殖を抑制し、前記振動部６を清潔に保つことができる。
【００５９】
（実施の形態８）
次に、本発明の実施の形態８について図面を参照しながら説明する。なお、実施の形態１、２、３、４、５、６、７と同一のものは同一番号を付し、その詳細な説明を省略する。
【００６０】
図６に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、たとえば振動モータを内臓した、振動部６と、前記振動部６の下部に設けられた機械スイッチ１０により構成される。
【００６１】
上記構成において、前記手挿入部５に濡れた手が挿入され、手が前記振動部６にのせられた場合に、前記機械スイッチ１０、たとえば押しボタンスイッチが押されたことにより前記振動部６を動作させ、手に振動を与えて手に付着した水滴を引き剥がすとともに、前記送風手段２を動作させ、前記送出ノズル部４から送出される高圧空気により手から引き剥がされた水滴を吹き飛ばし、手が前記振動部６からおろされた場合に、前記機械スイッチ１０が離されたことにより前記振動部６を停止させるとともに、前記送風手段２を停止させるという自動運転をすることができる。
【００６２】
（実施の形態９）
次に、本発明の実施の形態９について図面を参照しながら説明する。なお、実施の形態１、２、３、４、５、６、７、８と同一のものは同一番号を付し、その詳細な説明を省略する。
【００６３】
図７に示すように、手乾燥装置１は内部に設けた送風手段２、たとえばブロアーモータと、前記送風手段２に接続した送風路３と、前記送風路３に接続した送出ノズル部４と、前記送出ノズル部４の前方に設けた手挿入部５と、前記手挿入部５の手前側に設けた、乾燥させる手をのせる、たとえば振動モータを内臓した、振動部６と、前記振動部６の下部に設けられた、重量センサー１１、たとえば歪ゲージ、により構成される。
【００６４】
上記構成において、前記手挿入部５に濡れた手が挿入され、手が前記振動部６にのせられた場合に、重量センサー１１で荷重が有ることを検知したことにより前記振動部６を動作させ、手に振動を与えて手に付着した水滴を引き剥がすとともに、前記送風手段２を動作させ、前記送出ノズル部４から送出される高圧空気により手から引き剥がされた水滴を吹き飛ばし、手が前記振動部６からおろされた場合に、前記重量センサーで荷重が無くなったことを検知したことにより前記振動部６を停止させるとともに、前記送風手段２を停止させるという自動運転をすることができる。
【産業上の利用可能性】
【００６５】
水滴を吹き飛ばす乾燥方法において、効率的な乾燥ができることにより、水洗いした後の乾燥手法において、水滴を吹き飛ばす効率的な乾燥を行うことができる。
【符号の説明】
【００６６】
１      手乾燥装置
２      送風手段
３      送風路
４      送出ノズル部
５      手挿入部
６      振動部
７      突起部
８      オゾン発生装置
９      マイナスイオン発生装置
１０    機械スイッチ
１１    重量センサー
１０１  手乾燥装置
１０２  電動送風機
１０３  送風路
１０４  ノズル
１０５  乾燥室
【図１】
2012050763.tif 000003
【図２】
2012050763.tif 000004
【図３】
2012050763.tif 000005
【図４】
2012050763.tif 000006
【図５】
2012050763.tif 000007
【図６】
2012050763.tif 000008
【図７】
2012050763.tif 000009
【図８】
2012050763.tif 000010